(57)【要約】 【課題】本体が、基端をＵ状とした把手部２１と、括れ首部２２を介して把手部２１の先方に設けた二股の保持部２３とを金属板を折曲することで形成され、前記保持部の先端間に、中央に長孔を備えると共に長孔縁に刃を形成し且つ両端に軸部１３を設けた刃体１を、両保持部に設けた装着孔へ前記軸部を取り付けて架設してなる皮剥き器において、刃体１の着脱作業を安全に且つスムーズに行えるようにする。【解決手段】保持部２３間を刃体長さより狭く形成して、保持部間を開拡する弾性反発力で刃体１を保持せしめ、括れ首部対向面間に侵入して開拡させ、且つ離脱して復帰させるスライド操作体３３を備えた開閉機構部を本体に付設してなる。【選択図】図５
2010178781.tif 000002
【特許請求の範囲】
【請求項１】
本体が、基端をＵ状とした把手部と、括れ首部を介して把手部の先方に設けた二股の保持部とを金属板を折曲することで形成され、前記保持部の先端間に、中央に長孔を備えると共に長孔縁に刃を形成し且つ両端に軸部を設けた刃体を、両保持部に設けた装着孔へ前記軸部を取り付けて架設してなる皮剥き器において、保持部間を刃体長さより狭く形成して、保持部間を開拡する弾性反発力で刃体を保持せしめ、括れ首部対向面間に侵入して開拡させ、且つ離脱して復帰させるスライド操作体を備えた開閉機構部を、本体に付設してなることを特徴とする皮剥き器。
【請求項２】
開閉機構部が、本体における把手部及び括れ首部を、表裏から挟持して本体に装着する表蓋体及び裏台体を備え、前記表裏体でスライド操作体をスライド自在に抱持してなる請求項１記載の皮剥き器。
【請求項３】
スライド操作体の両側面で括れ首部を押し拡げると共に、当該両側面の幅が徐々に変化する操作面としてなる請求項１又は２記載の皮剥き器。
【請求項４】
スライド操作体の両側部に括れ首部の内側を移動するローラを設けると共に、当該ローラで括れ首部を押し拡げ、ローラ中心位置が括れ首部の最狭位置を越えた位置でスライド操作体が停止する構造とした請求項１又は２記載の皮剥き器。
【発明の詳細な説明】
【技術分野】
【０００１】
本発明は、ピーラーと称されている皮剥き器に関するものである。
【背景技術】
【０００２】
ピーラーと称されている皮剥き器は、把手部の先部を双股の保持部とし、当該保持部間に、中央に長孔を備えると共に長孔縁に刃を形成した刃体を回動自在に架設しているものである。
【０００３】
ところで前記の皮剥き器においては、用途の異なる刃体（例えば千切り用刃体）への変更や、切れ味の悪くなった刃体との取り換えに対応できる構造を採用している器具が知られている。
【０００４】
例えば特許文献１（特開２００５−３４４６８号公報）には、刃体の一方の装着孔を板状の保持部の一側端面に開口させ、当該開口箇所から刃体軸部の着脱を自在とし、更に前記の板状保持部に前記開口箇所を開閉する開閉部材をスライド構造で組み込んでいる器具が開示されている。
【０００５】
また特許文献２（登録実用新案３１２９００２号公報）には、前記の開閉部材を、金属線材をＵ状に折曲すると共に基端を対向線材側に長さをずらして折曲して形成して、開口状態と閉口状態において安定するように開閉部材の基端部を保持部に軸装している構造が開示されている。
【０００６】
更に特許文献３（登録実用新案３０５３３８１号公報）には、把手部及び保持部からなる本体を金属板で形成することで、保持部間を開放方向に弾性付勢させると共に把手部と保持部の間に首部を設け、当該首部の挟圧保持及び開放によって保持部の対向間隔の広狭動作を行って刃体の着脱を実現している構造が開示されている。
【先行技術文献】
【特許文献】
【０００７】
【特許文献１】特開２００５−３４４６８号公報。
【特許文献２】登録実用新案３１２９００２号公報。
【特許文献３】登録実用新案３０５３３８１号公報。
【発明の概要】
【発明が解決しようとする課題】
【０００８】
特許文献１，２に開示されているように、保持部に開閉部材を付設する器具は、前記開閉部材が皮剥き個所（保持部先端）に組み込まれるので、皮剥き操作に違和感を与えてしまう。従ってこの点を考慮すると、本体（把手部及び保持部）が弾性を有する構造に形成する必要があるが、開閉部材を備えておらず、刃体及び保持部を軽量に形成できる器具が望まれる。
【０００９】
特許文献３記載の器具は、前記したとおり保持部間を開放方向に弾性付勢させ、首部への固定体の着脱によって保持部の対向間隔の広狭動作を行っている。しかし前記の器具は、首部の固定体を外すと、保持部が開拡して刃体が外れるものであり、着脱操作性を高めるために、固定体の着脱が簡単に行なわれる構造とするならば、皮剥き作業中に誤って固定体が外れる虞があり、器具使用者の意に反して保持部が開拡し、刃体が外れてしまう危険性がある。
【００１０】
また刃体の装着に際して、保持部間に刃体を挟み込んだ状態を、保持部を手で持つことで維持し、当該状態で固定体を装着する作業となり煩瑣である。更に固定体の着脱が安易になされない構造（刃体の不測の離脱を防止する）を採用すると、刃体の装着時の作業が面倒となる。
【００１１】
そこで本発明は、刃体の着脱操作が容易となる新規な皮剥き器を提案したものである。
【課題を解決するための手段】
【００１２】
本発明に係る皮剥き器は、本体が、基端をＵ状とした把手部と、括れ首部を介して把手部の先方に設けた二股の保持部とを金属板を折曲することで形成され、前記保持部の先端間に、中央に長孔を備えると共に長孔縁に刃を形成し且つ両端に軸部を設けた刃体を、両保持部に設けた装着孔へ前記軸部を取り付けて架設してなる皮剥き器において、保持部間を刃体長さより狭く形成して、保持部間を開拡する弾性反発力で刃体を保持せしめ、括れ首部対向面間に侵入して開拡させ、且つ離脱して復帰させるスライド操作体を備えた開閉機構部を、本体に付設してなることを特徴とするものである。
【００１３】
而して刃体は、刃体長より狭い保持部先端間に架設すると、本体の弾性反発力で保持されることになり、スライド操作体を括れ首部に侵入させると、スライド操作体が括れ首部を押し広げることになり、これに伴って保持部先端間が開拡し、刃体の軸部が装着孔より外れる。更にスライド操作体を括れ首部から離脱させると、括れ首部が弾性力で復帰し、保持部先端間隔が狭まり方向に移動する際に、刃体の軸部を装着孔に挿通させて、刃体を本体に装着するものである。
【発明の効果】
【００１４】
本発明は、上記の構成を備えたもので、刃体装着状態が本体による弾性保持状態であるから、特に力を作用させてスライド操作体を動作させない限り刃体が離脱せず、且つスライド操作に際しては相応の力を必要とするので、突然刃体が外れる虞がなく安全に使用でき、また刃体着脱作業を容易に行うことができる。
【図面の簡単な説明】
【００１５】
【図１】本発明の第一実施形態の正面図。
【図２】同分解斜視図。
【図３】同縦断面図。
【図４】同動作状態説明図（刃体装着時）。
【図５】同動作状態説明図（刃体離脱時）。
【図６】本発明の第二実施形態の動作状態説明図。
【発明を実施するための形態】
【００１６】
次に本発明の実施形態について説明する。実施形態に示した皮剥き器は、刃体１と、薄金属板で相応の弾性を備えるように形成した本体２とを備えると共に、特に本体２に開閉機構部を付設したものである。
【００１７】
刃体１は、従前のものと同様で、中央に長孔１１を備えると共に長孔縁に刃（横刃）１２を形成し、両端に軸部１３を設けた周知のものであり、また長孔１１に細かい間隔で縦刃を備えて千切り用刃体の採用等、両端に軸部１３を備えているものであれば、任意に適用されるものである。
【００１８】
本体２は、金属板を折曲することで形成したもので、基端をＵ状とした把手部２１と、括れ首部２２を介して先方に二股の保持部２３を設けたものである。
【００１９】
刃体１の装着は、保持部２３の先端に装着孔２４を穿設すると共に、先端間を刃体１長さより狭く形成し、装着孔２４に軸部１３を取り付けると共に、保持部２３間を開拡する際の弾性反発力で刃体１を挟圧保持して実現しているものである。
【００２０】
開閉機構部は、本体２の把手部２１及び括れ首部２２の範囲に対応する表蓋体３１及び裏台体３２を備え、本体２の表裏から本体２を挟持するようにして取り付けるもので、前記の表裏体３１，３２にスライド操作体３３を組み込んでなるものである。
【００２１】
前記表裏体３１，３２の本体２へ装着においては、括れ首部２２及び保持部２３の開拡復帰動作が可能なように、表裏体３１，３２の側壁３１１，３２１部分は刃体装着時の本体形状に対応する形状とし、前記側壁３１１，３２１の上下に庇部３１２，３２２を設けて本体２を挟持するようにしている。
【００２２】
スライド操作体３３を組み込むための構造は、裏台体３２に、括れ首部２２の位置まで達するレール部３２３を設け、表蓋体３１には、後述するスライド操作体３３を組み込んだ際の操作突部３３３が移動可能な大きさの操作用透孔３１３を設けておくものである。
【００２３】
スライド操作体３３は、底面にレール部３２３と嵌合する突条３３１を備え、先部に括れ首部２２の開拡作用をなす拡副形状の操作面３３２を備え、上部に操作突部３３３を設けてなる。
【００２４】
而して刃体１は、刃体１の長さより狭い保持部２３間に架設すると、本体２の弾性反発力で保持される。そこで操作用透孔３１３から露出している操作突部３３３を刃体装着側に押し出すと、スライド操作体３３が移動し、括れ首部２２の位置に進出する。この時にスライド操作体３３の操作面３３２が幅広となっているため、括れ首部２２を押し広げることになる。
【００２５】
括れ首部２２の開拡に伴って保持部２３の先端間も開拡し、刃体１の軸部１３が装着孔２４より外れて、刃体１が本体２から分離される。逆に前記状態でスライド操作体３３を括れ首部２２の位置から徐々に後退させると、括れ首部２２及び保持部２３が弾性力で徐々に復帰するので、当該時に刃体１（取り換え部品）の軸部１３を装着孔２４に挿通し、スライド操作体３３を後退させて、括れ首部２２の開拡作用を確実に除去すると、刃体１が確実に装着され使用状態となるものである。
【００２６】
従って把手部２１を握持して親指で操作突部３３３を操作すると、片手で保持部２３の開閉（開拡復帰）を行うことができ、刃体１の取り換え作業を安全に且つ確実に行うことができる。
【００２７】
また図６に例示する第二実施形態のように、前記の操作面３３２をローラ３３４としたスライド操作体３３ａを採用しても良く、その場合には、ローラ３３４の中心位置（最大幅位置）が、括れ首部２２の最狭位置を越えた位置で、スライド操作体３３ａの側面が括れ首部２２と当接してスライド操作体３３ａが安定停止する構造に形成すると、保持部２３が開拡した状態で安定させることができる。
【符号の説明】
【００２８】
１      刃体
１１    長孔
１２    刃
１３    軸部
２      本体
２１    把手部
２２    括れ首部
２３    保持部
２４    装着孔
３１    表蓋体
３２    裏台体
３１１，３２１    側壁
３１２，３２２    庇部
３１３    操作用透孔
３２３    レール部
３３，３３ａ    スライド操作体
３３１    突条
３３２    操作面
３３３    操作突部
３３４    ローラ
【図１】
2010178781.tif 000003
【図２】
2010178781.tif 000004
【図３】
2010178781.tif 000005
【図４】
2010178781.tif 000006
【図５】
2010178781.tif 000007
【図６】
2010178781.tif 000008